(57)【特許請求の範囲】
【請求項１】
文字または柄、あるいは文字及び柄が組み合わされて配置されたパターンを有した印面と、
前記印面の前記パターンを、処理対象物に直接表記されるか、または、処理対象物に貼り付けられたラベルに表記された特定の情報上に重ねて転写する印字部と、
特定の情報が表記された前記処理対象物、あるいは他の処理対象物と刃部との相対移動で、これらの処理対象物を開封する開封部とを備え、
前記処理対象物の前記特定の情報に対して前記印字部により前記印面を接触させて、前記特定の情報の視認を防止または抑制可能とすると共に、
前記開封部によって前記処理対象物の開封を可能にしたスタンプであって、
前記開封部は、処理対象物を前記刃部で切断することで発生する紙粉を回収する紙粉回収部を備えた
ことを特徴とするスタンプ。
【請求項２】
前記開封部は、前記刃部が取り付けられるカッターホルダを備えた
ことを特徴とする請求項１記載のスタンプ。
【請求項３】
前記紙粉回収部と前記印字部は、前記カッターホルダで仕切られる
ことを特徴とする請求項２記載のスタンプ
【請求項４】
前記カッターホルダは、前記紙粉回収部と、処理対象物をガイドするガイド溝を備えた
ことを特徴とする請求項２または３記載のスタンプ。
【請求項５】
前記印字部と前記開封部とが設けられた本体部を備え、
前記開封部は、前記本体部の表面から臨むように設けられた
ことを特徴とする請求項１〜請求項４の何れか1項に記載のスタンプ。
【発明の詳細な説明】
【技術分野】
【０００１】
本発明は、処理対象物に押印を行うスタンプに関する。
【背景技術】
【０００２】
従来より、封筒等に表記された住所や氏名等を視認困難にするため、文字等の認識を困難にするような印面を備えて押印できるようにした個人情報保護スタンプが提案されている（例えば、特許文献１参照）。
【０００３】
従来の個人情報スタンプは、板ゴム、あるいはローラ形状のゴムに、それ自体に意味を持たない柄や文字を配置し、住所や氏名等の他人に見られたくない個人情報へ押印することで、個人情報を見えにくくするものである。このような個人情報保護スタンプの使用の対象となる処理対象物は、個人情報が印刷あるいはラベルの貼り付け等で表記された封筒や、封筒の内容物であることが多い。
【０００４】
このため、封筒等の開封を行った後、封筒から内容物を取り出して内容を確認し、その後に従来の個人情報スタンプで、封筒に表記された住所や氏名等の他人に見られたくない個人情報に押印して、個人情報の視認を困難にしていた。
【０００５】
しかし、封筒等の開封には、はさみやカッター、レターオープナ等の開封具を用いる必要があることから、まず、これらの開封具を先に用意して開封を行うことが必要であった。そして、更に、個人情報保護のための押印を行う個人情報保護スタンプを別に用意する必要があり、封筒等の開封と、封筒等に表記された個人情報の保護のためには、個人情報保護スタンプと開封具の両方を用意する必要があった。
【０００６】
一方、筆記具に開封具の機能を持たせた技術が提案されている（例えば、特許文献２参照）。
【先行技術文献】
【特許文献】
【０００７】
【特許文献１】特開２００９−２５５５１５号公報
【特許文献２】特開平１０−０８６５９０号公報
【発明の概要】
【発明が解決しようとする課題】
【０００８】
しかし、従来は、封筒等の開封と、使用済みの封筒等に対する個人情報の保護という動作を、１つの道具で行えるようにするものはなく、個別に個人情報保護スタンプと開封に用いる道具を用意しており、片方を紛失したりした場合等に、個人情報の保護や開封をせずに封筒類を捨ててしまうこともあった。
【０００９】
本発明は、このような課題を解決するためになされたもので、封筒等の開封作業と、個人情報保護スタンプにより個人情報の視認を困難にする作業という関連する一連の作業を１つの道具で行えるようにするため、封筒等の開封機能を備えたスタンプを提供することを目的とする。
【課題を解決するための手段】
【００１０】
上述した課題を解決するため、本発明は、文字または柄、あるいは文字及び柄が組み合わされて配置されたパターンを有した印面と、印面のパターンを、処理対象物に直接表記されるか、または、処理対象物に貼り付けられたラベルに表記された特定の情報上に重ねて転写する印字部と、特定の情報が表記された処理対象物、あるいは他の処理対象物と刃部との相対移動で、これらの処理対象物を開封する開封部とを備え、処理対象物の特定の情報に対して印字部により印面を接触させて、特定の情報の視認を防止または抑制可能とすると共に、開封部によって処理対象物の開封を可能にしたスタンプであって、開封部は、処理対象物を刃部で切断することで発生する紙粉を回収する紙粉回収部を備えたスタンプである。
【００１１】
本発明のスタンプでは、開封部を使用することで、封筒の開封が行われる。また、封筒等の処理対象物に印字、あるいはラベルの貼り付け等で表記された住所や氏名等の個人情報が、印字部を使用することで視認が困難にされる。
【発明の効果】
【００１２】
本発明のスタンプによれば、文字または柄、あるいは、文字及び柄が組み合わされて、個人情報のような特定の情報の視認を困難にするパターンが設けられた印面を有した印字部と、処理対象物との相対移動で処理対象物を開封する刃部を有した開封部を備えることで、１つの道具で、個人情報が表記された処理対象物の開封と、開封された処理対象物に表記された個人情報の保護という関連性の高い動作を、簡単な操作で行うことができ、利用者の利便性を向上させることができる。
【００１３】
また、個人情報が表記されていないような他の処理対象物の開封、及び、開封を要しない他の処理対象物に表記された個人情報の保護も、１つの道具で行えることから、各種情報の保護と、各種処理対象物の開封を、２つの道具を用意することなく行うことができ、利用者の利便性を向上させることができる。更に、処理対象物を刃部で切断することで発生する紙粉が紙粉回収部で回収されるので、刃部への紙粉の付着が防止され、刃部の所期の切断力を長期間に亘り保持することができる。また、紙粉が外部等に出ることを防止することができる。
【図面の簡単な説明】
【００１４】
【図１】第１の実施の形態のスタンプの一例を示す斜視図である。
【図２】第１の実施の形態のスタンプの一例を示す正面図である。
【図３】第１の実施の形態のスタンプの一例を示す側面図である。
【図４】第１の実施の形態のスタンプの一例を示す上面図である。
【図５】第１の実施の形態のスタンプの一例を示す正面断面図である。
【図６】第１の実施の形態のスタンプの一例を示す側断面図である。
【図７】処理対象物の一例を示す封筒の斜視図である。
【図８】カッターホルダの一例を示す分解斜視図である。
【図９】第１の実施の形態のスタンプの変形例を示す斜視図である。
【図１０】第１の実施の形態のスタンプの変形例を示す斜視図である。
【図１１】第１の実施の形態のスタンプの変形例を示す斜視図である。
【図１２】第１の実施の形態のスタンプの他の変形例を示す斜視図である。
【図１３】第１の実施の形態のスタンプの他の変形例を示す斜視図である。
【図１４】第１の実施の形態のスタンプの他の変形例を示す斜視図である。
【図１５】第１の実施の形態のスタンプの他の変形例を示す斜視図である。
【図１６】変形例のスタンプの使用例を示す動作説明図である。
【図１７】第１の実施の形態のスタンプの他の変形例を示す斜視図である。
【図１８】第１の実施の形態のスタンプの他の変形例を示す斜視図である。
【図１９】第２の実施の形態のスタンプの一例を示す構成図である。
【図２０】第２の実施の形態のスタンプの変形例を示す斜視図である。
【図２１】第３の実施の形態のスタンプの一例を示す構成図である。
【図２２】第３の実施の形態のスタンプの変形例を示す構成図である。
【図２３】第３の実施の形態のスタンプの変形例を示す構成図である。
【図２４】第４の実施の形態のスタンプの一例を示す構成図である。
【図２５】第４の実施の形態のスタンプの一例を示す構成図である。
【図２６】第４の実施の形態のスタンプの一例を示す構成図である。
【図２７】第５の実施の形態のスタンプの一例を示す構成図である。
【図２８】第６の実施の形態のスタンプの一例を示す構成図である。
【図２９】第７の実施の形態のスタンプの一例を示す構成図である。
【図３０】開封部の変形例を示す構成図である。
【図３１】開封部の他の変形例を示す構成図である。
【図３２】紙粉回収部の変形例を示す構成図である。
【発明を実施するための形態】
【００１５】
以下、図面を参照して、本発明のスタンプの実施の形態について説明する。
【００１６】
＜第１の実施の形態のスタンプの構成例＞
図１は、第１の実施の形態のスタンプの一例を示す斜視図、図２は、第１の実施の形態のスタンプの一例を示す正面図、図３は、第１の実施の形態のスタンプの一例を示す側面図、図４は、第１の実施の形態のスタンプの一例を示す上面図である。また、図５は、第１の実施の形態のスタンプの一例を示す正面断面図、図６は、第１の実施の形態のスタンプの一例を示す側断面図である。更に、図７は、処理対象物の一例を示す封筒の斜視図である。
【００１７】
本実施の形態のスタンプ１Ａは、処理対象物である封筒１００に印字、あるいはラベルの貼り付け等で表記された住所や氏名等の個人情報１０１を保護する機能と、封筒１００の封緘部１０２を開封する機能を併せ持つ。
【００１８】
第１の実施の形態のスタンプ１Ａは、印字部２Ａを有した本体部３Ａと、本体部３Ａに着脱される蓋部４Ａを備え、本体部３Ａの上部に開封部５Ａを備える。印字部２Ａは、印面を構成する転写ローラ２０を有した転写ユニット２１と、転写ローラ２０にインクを供給する供給ローラ２２を有した供給ユニット２３を備える。
【００１９】
転写ローラ２０は、円周面に表記の視認を阻害するパターンが設けられる。転写ユニット２１は、転写ローラ２０の円周面の一部を露出させて、転写ローラ２０を回転可能に支持する転写ローラガイド２１ａを備える。転写ローラガイド２１ａは、転写ローラ２０の露出面に対して反対側に突出し、本体部３Ａに係止される２本の爪部２１ｂと、爪部２１ｂを弾性変形させる着脱操作部２１ｃを備える。
【００２０】
供給ローラ２２はインクが含浸され、含浸されたインクが円周面から滲み出す。供給ユニット２３は、供給ローラ２２の円周面の一部を露出させて、供給ローラ２２を回転可能に支持する供給ローラガイド２３ａを備える。
【００２１】
本体部３Ａは、例えば樹脂材料等で中空構造に構成され、印字部２Ａと開封部５Ａが所定の配置で取り付けられる空間が内部に形成される、本体部３Ａは、一方の端部、本例では下端部に、転写ユニット２１が取り付けられる転写ユニット取付部３０を備える。また。転写ユニット取付部３０の上側に、供給ユニット２３が取り付けられる供給ユニット取付部３１を備える。更に、本体部３Ａは、他方の端部、本例では上端部に、開封部５Ａが取り付けられる開封部取付部３２を備える。
【００２２】
転写ユニット取付部３０は、本体部３Ａの下端部に、転写ユニット２１の形状に合わせた開口を設けて構成され、転写ユニット２１の爪部２１ｂが着脱可能に嵌る係止凹部３０ａが、本体部３Ａの対向する側面の内側に形成される。供給ユニット取付部３１は、供給ユニット２３の取付位置を規制する図示しないガイド部材が形成される。
【００２３】
印字部２Ａは、供給ユニット２３が本体部３Ａに挿入されて供給ユニット取付部３１に取り付けられ、転写ユニット２１が本体部３Ａに挿入されて転写ユニット取付部３０に取り付けられる。
【００２４】
転写ユニット２１は、本体部３Ａに挿入されると、爪部２１ｂが転写ユニット取付部３０の係止凹部３０ａに嵌り、転写ローラ２０が本体部３Ａの下端部に露出し、着脱操作部２１ｃが本体部３Ａの両側面に露出する形態で、転写ユニット取付部３０に取り付けられる。
【００２５】
転写ユニット２１が転写ユニット取付部３０に取り付けられると、供給ユニット取付部３１に取り付けられた供給ユニット２３が転写ユニット２１で保持され、転写ユニット２１の上側に供給ユニット２３が取り付けられる。
【００２６】
印字部２Ａは、転写ユニット２１と供給ユニット２３が本体部３Ａに取り付けられると、転写ローラ２０と供給ローラ２２が接触し、転写ローラ２０の回転に従動して供給ローラ２２が回転して、供給ローラ２２から転写ローラ２０にインクが供給可能な状態になる。
【００２７】
本体部３Ａに取り付けられた状態の転写ユニット２１は、着脱操作部２１ｃが押されることで、爪部２１ｂが内側に倒れる方向に弾性変形して、爪部２１ｂが係止凹部３０ａから外れ、本体部３Ａからの取り外しが可能となる。転写ユニット２１が本体部３Ａから取り外されると、供給ユニット２３の本体部３Ａからの取り外しが可能となり、供給ユニット２３の交換が可能である。
【００２８】
蓋部４Ａは、本体部３Ａの下端部を覆う形状で、本体部３Ａに着脱可能に設けられる。蓋部４Ａが本体部３Ａの下端部に取り付けられると、本体部３Ａの下端部に露出する転写ローラ２０が蓋部４Ａで覆われて、転写ローラ２０が保護される。ここで、スタンプ１Ａを立設した状態で載置できるようにするため、蓋部４Ａの底面を平面等で構成して、載置面４０を備える構成としても良い。
【００２９】
開封部５Ａは、刃部を構成するカッター５０と、カッター５０が取り付けられるカッターホルダ５１を備える。カッターホルダ５１は支持具の一例で、処理対象物である封筒１００をガイドするガイド溝５２を備える。
【００３０】
ガイド溝５２は、上側に向かって間隔が広がるＶ字型あるいはＵ字型の断面形状を持ち、底面に、封筒１００の封緘部１０２の厚みに合わせた狭い幅の間隔で対向するガイド部５２ａが形成される。ガイド溝５２は、ガイド部５２ａの内面、本例では底部にカッター５０が設けられる。
【００３１】
本実施の形態のスタンプ１Ａでは、封筒１００の封緘部１０２を開封する際に、フラップ１０３の折り曲げ部１０３ａを切断することで、切断された紙片が封筒１００から分離せず、封緘に伴う短冊状のゴミが発生しないように構成する。
【００３２】
そこで、カッター５０は、ガイド部５２ａの底部の幅方向の略中心位置から突出し、ガイド部５２ａによる処理対象物のガイド方向の手前側に刃が向けられ、刃の上端がガイド方向の手前側に向けて鋭角に突出する形態で、カッターホルダ５１に取り付けられる。
【００３３】
ガイド溝５２は、カッター５０に対してガイド方向の手前側のガイド部５２ａの幅より、ガイド方向の奥側のガイド部５２ａの幅が広く構成される。これにより、ガイド溝５２でガイドされる封筒１００は、カッター５０の手前では、フラップ１０３の折り曲げ部１０３ａがカッター５０に位置を合わせられてガイドされる。
【００３４】
また、カッター５０で開封された封筒１００は、若干厚みが広がるが、カッター５０より奥側のガイド部５２ａの幅が広げられているので、封筒１００に大きな抵抗が係ることなく、開封を行うことができる。
【００３５】
開封部５Ａは、封筒１００の封緘部１０２をカッター５０で切断することで発生する紙粉を回収する紙粉回収部５３を備える。紙粉回収部５３は、カッター５０が設けられる位置のガイド溝５２の底部を開口して、カッター５０の直下に、紙粉が入る空間を設けて構成される。
【００３６】
本体部３Ａは、幅方向に沿って延在する溝部３２ａが上端部に形成され、溝部３２ａの内側に、カッターホルダ５１の形状に合わせた空間を設けて開封部取付部３２が形成される。開封部取付部３２は、カッターホルダ５１が係止される係止凹部３２ｂが、本体部３Ａの対向する側面の内側に形成される。
【００３７】
カッターホルダ５１は、開封部取付部３２の係止凹部３２ｂに嵌る爪部５１ａが、ガイド溝５２の延在方向に沿った両端に設けられる。また、本体部３Ａの供給ユニット取付部３１に取り付けられた供給ユニット２３と、転写ユニット取付部３０に取り付けられた転写ユニット２１の爪部２１ｂの間に突出する保護ガイド５１ｂが、爪部５１ａの内側に設けられる。
【００３８】
開封部５Ａは、本体部３Ａに挿入されると、爪部５１ａが開封部取付部３２の係止凹部３２ｂに嵌り、ガイド溝５２が本体部３Ａの溝部３２ａに露出し、ガイド溝５２が本体部３Ａの短手方向に沿った幅方向に延在する形態で、開封部取付部３２に取り付けられる。
【００３９】
本体部３Ａには、開封部取付部３２に開封部５Ａが取り付けられると共に、開封部５Ａの下側で、供給ユニット取付部３１に供給ユニット２３が取り付けられ、転写ユニット取付部３０に転写ユニット２１が取り付けられる。
【００４０】
これにより、開封部５Ａのガイド溝５２及び紙粉回収部５３と、供給ユニット２３及び転写ユニット２１がカッターホルダ５１で仕切られ、開封部５Ａでの開封動作で発生した紙粉等が、印字部２Ａ側に入らないように構成される。
【００４１】
また、本体部３Ａに供給ユニット２３と転写ユニット２１が取り付けられると、供給ユニット２３と、転写ユニット２１の爪部２１ｂの間に、カッターホルダ５１に設けた保護ガイド５１ｂが突出する。これにより、転写ユニット２１の着脱で着脱操作部２１ｃが押されたときに、爪部２１ｂが内側に倒れる量が規制され、爪部２１ｂの変形を防ぐように構成される。なお、カッターホルダ５１で供給ユニット２３、供給ユニット２３と転写ユニット２１を支持する構成としても良い。
【００４２】
図８は、カッターホルダの一例を示す分解斜視図である。カッターホルダ５１は、２つの部品である第１のカッターホルダ５１Ｌと第２のカッターホルダ５１Ｒを一体にして構成される。
【００４３】
第１のカッターホルダ５１Ｌと第２のカッターホルダ５１Ｒは、対向する面に、それぞれガイド溝５２のガイド部５２ａが形成される凹部、及び紙粉回収部５３が形成される凹部等が一体成形される。
【００４４】
また、第１のカッターホルダ５１Ｌと第２のカッターホルダ５１Ｒのどちらか一方、本例では第１のカッターホルダ５１Ｌに、カッター５０が取り付けられるカッター取付部５１ｃが形成される。カッター取付部５１ｃは、カッター５０の形状に合わせた凹部を、第２のカッターホルダ５１Ｒと対向する面に設けて構成される。
【００４５】
第１のカッターホルダ５１Ｌのカッター取付部５１ｃにカッター５０を嵌め、第１のカッターホルダ５１Ｌと第２のカッターホルダ５１Ｒを合わせて例えば高周波溶着することで、ガイド溝５２にカッター５０が取り付けられ、内部に紙粉回収部５３が形成されるカッターホルダ５１が構成される。
【００４６】
ここで、カッター取付部として第１のカッターホルダ５１Ｌと第２のカッターホルダ５１Ｒの両方に凹部を設けた構成すると、第１のカッターホルダ５１Ｌと第２のカッターホルダ５１Ｒを合わせたときに凹部の位置がずれ、カッター５０の取付角度等にズレが生じる可能性がある。
【００４７】
そこで、第１のカッターホルダ５１Ｌと第２のカッターホルダ５１Ｒのどちらか一方にカッター取付部を設けることで、第１のカッターホルダ５１Ｌと第２のカッターホルダ５１Ｒを合わせたときの位置ずれが発生しないように構成される。
【００４８】
また、第１のカッターホルダ５１Ｌと第２のカッターホルダ５１Ｒを高周波溶着で一体にすることで、第１のカッターホルダ５１Ｌと第２のカッターホルダ５１Ｒの間に隙間が発生せず、紙粉回収部５３で回収した紙粉が外部に落ちないように構成される。
【００４９】
＜第１の実施の形態のスタンプの使用動作例＞
次に、各図を参照して、第１の実施の形態のスタンプ１Ａの使用例について説明する。スタンプ１Ａの非使用時には、本体部３Ａに蓋部４Ａを装着しておく。これにより、転写ローラ２０が蓋部４Ａで覆われて、転写ローラ２０が保護される。また、本体部３Ａに蓋部４Ａを装着した状態では、蓋部４Ａの載置面４０で、スタンプ１Ａを立設した状態で載置できる。
【００５０】
スタンプ１Ａの個人情報保護機能を使用する場合、蓋部４Ａを本体部３Ａから外し、封筒１００に印字、或いはラベルの貼り付け等で表記された個人情報１０１に転写ローラ２０を押し付けて、本体部３Ａを移動させる。これにより、転写ローラ２０が回転して、表記の視認を阻害するパターンが個人情報１０１上に転写され、個人情報１０１が視認不可能、あるいは極めて視認が困難な状態となり、個人情報が保護される。また、転写ローラ２０の回転に従動して供給ローラ２２が回転し、供給ローラ２２から転写ローラ２０にインクが供給される。
【００５１】
スタンプ１Ａの開封機能を使用する場合、カッター５０の手前側のガイド溝５２に封筒１００の封緘部１０２を挿入し、ガイド溝５２に沿って封筒１００を移動させる。これにより、ガイド溝５２でガイドされる封筒１００は、フラップ１０３の折り曲げ部１０３ａがカッター５０に位置を合わせられてガイドされる。
【００５２】
カッター５０は、刃の上端がガイド方向の手前側に向けて鋭角に突出する形態で、ガイド溝５２の底部に取り付けられているので、ガイド溝５２に沿って封筒１００を移動させると、フラップ１０３の折り曲げ部１０３ａにカッター５０が入り、フラップ１０３の折り曲げ部１０３ａが切断される。これにより、封筒１００から切断される紙片が発生せず、封緘に伴う短冊状のゴミが発生しない。
【００５３】
一方、封緘に伴って発生する紙粉は、カッター５０の下部に配置される紙粉回収部５３に入る。これにより、カッター５０への紙粉の付着が防止され、カッター５０の所期の切断力が長期間に亘り保持される。また、紙粉がガイド溝５２から外部に出ることが防止される。
【００５４】
このように、第１の実施の形態のスタンプ１Ａでは、処理対象物が封筒１００であれば、１つの道具で開封と、開封後の封筒１００の廃棄時等に個人情報の保護を行うことができる。
【００５５】
＜第１の実施の形態のスタンプの変形例＞
図９〜図１１は、第１の実施の形態のスタンプの変形例を示す斜視図である。ここで、図９〜図１１では、スタンプの形状を模式的な略矩形で図示し、蓋部は省略している。第１の実施の形態のスタンプ１Ａでは、本体部３Ａの上面に開封部５Ａを設けることとしたが、本体部３Ａの側面、正面、あるいは背面の何れかに開封部５Ａを設けることとしても良い。
【００５６】
本体部３Ａの上面に開封部５Ａを設ける構成では、ガイド溝５２が本体部３Ａの幅方向に沿って延在する構成に代えて、図９に示すように、ガイド溝５２が本体部３Ａの厚さ方向に沿って延在する構成としても良い。
【００５７】
本体部３Ａの側面に開封部５Ａを設ける構成では、図１０（ａ）に示すように、ガイド溝５２が本体部３Ａの長手方向に沿って延在する構成としても良いし、図１０（ｂ）に示すように、ガイド溝５２が本体部３Ａの厚さ方向に沿って延在する構成としても良い。
【００５８】
本体部３Ａの側面に開封部５Ａを設ける構成で、ガイド溝が本体部３Ａの長手方向に沿って延在する構成とすれば、ガイド溝を本体部３Ａの長手方向の寸法に応じて長くできるので、封筒１００等の処理対象物をガイド溝に通したときに、高い安定性を得ることができる。また、処理対象物を安定した姿勢でガイド溝に当て付けることができる。
【００５９】
本体部３Ａの側面に開封部５Ａを設ける構成で、ガイド溝が本体部３Ａの厚さ方向に沿って延在する構成とすれば、ガイド溝を本体部３Ａの厚さ方向の寸法に応じて短くできるので、本体部３Ａにおいてガイド溝の開口が小さくなり、本体部３Ａを把持する際の違和感を解消することができる。
【００６０】
本体部３Ａの正面または背面に開封部５Ａを設ける構成では、図１１（ａ）に示すように、ガイド溝５２が本体部３Ａの長手方向に沿って延在する構成としても良いし、図１１（ｂ）に示すように、ガイド溝５２が本体部３Ａの幅方向に沿って延在する構成としても良い。本体部３Ａの正面または背面に開封部５Ａを設ける構成では、本体部３Ａを横倒しにして開封動作を行うことで、机上等で安定して処理対象物の開封を行うことができる。
【００６１】
図１２は、第１の実施の形態のスタンプの他の変形例を示す斜視図である。上述したように、本体部３Ａの上面、側面、正面または背面に、長手方向、幅方向または厚さ方向に設けた開封部５Ａは、カッター５０を有したガイド溝５２の向きを各方向に完全に一致する必要はなく、図１２に示すようにガイド溝５２が斜めに配置される構成でも良い。
【００６２】
開封部５Ａは、ガイド溝５２を傾けて配置することで、ガイド溝５２を各方向に沿って配置した場合と比較して、ガイド溝５２の延在長さを長くしてガイド距離を延ばすことができる。図１２では、本体部３Ａの正面または背面に、斜めにガイド溝５２を設ける構成としたが、本体部３Ａの上面または側面に、斜めにガイド溝５２を設ける構成としても良い。
【００６３】
図１３〜図１４は、第１の実施の形態のスタンプの他の変形例を示す斜視図である。上述した例では、開封部５Ａとして１本のガイド溝５２が設けられる構成としたが、本体部３Ａの上面、側面、正面、及び背面のうちの複数個所に開封部５Ａを設けることとしても良い。
【００６４】
図１３（ａ）、図１３（ｂ）では、本体部３Ａの上面と正面（または背面）の２箇所に開封部５Ａを設けた例を示し、図１３（ａ）では、本体部３Ａの上面に設けた開封部５Ａは、ガイド溝５２が本体部３Ａの厚さ方向に沿って延在し、本体部３Ａの正面（または背面）に設けた開封部５Ａは、ガイド溝５２が本体部３Ａの幅方向に沿って延在する構成である。
【００６５】
図１３（ｂ）では、本体部３Ａの上面に設けた開封部５Ａは、ガイド溝５２が本体部３Ａの厚さ方向に沿って延在し、本体部３Ａの正面（または背面）に設けた開封部５Ａは、ガイド溝５２が本体部３Ａの長手方向に沿って延在し、本体部３Ａの上面のガイド溝５２と、本体部３Ａの正面のガイド溝５２が繋がる構成である。このように、本体部３Ａの上面、側面、正面、及び背面のうちの複数個所に開封部５Ａを設ける構成では、図１３（ｂ）に示すように、各面に設けたガイド溝５２を繋げる等、意匠を考慮してガイド溝５２を配置することもできる。
【００６６】
図１４（ａ）では、本体部３Ａの側面と正面（または背面）の２箇所に開封部５Ａを設けた例を示し、本体部３Ａの側面に設けた開封部５Ａは、ガイド溝５２が本体部３Ａの長手方向に沿って延在し、本体部３Ａの正面（または背面）に設けた開封部５Ａは、ガイド溝５２が本体部３Ａの長手方向に対して斜めに延在する構成である。このように、本体部３Ａの上面、側面、正面、及び背面のうちの複数個所に開封部５Ａを設ける構成でも、ガイド溝５２を長手方向、幅方向、または厚さ方向に沿って配置するのみならず、各方向に対して斜めに配置しても良い。
【００６７】
図１４（ｂ）では、本体部３Ａの上面と側面と正面（または背面）の３箇所に開封部５Ａを設けた例を示し、本体部３Ａの正面（または背面）に設けた開封部５Ａは、ガイド溝５２が本体部３Ａの長手方向に沿って延在する構成である。また、本体部３Ａの上面に設けた開封部５Ａは、ガイド溝５２が本体部３Ａの幅方向に沿って延在し、本体部３Ａの側面に設けた開封部５Ａは、ガイド溝５２が本体部３Ａの長手方向に沿って延在し、本体部３Ａの上面のガイド溝５２と、本体部３Ａの側面のガイド溝５２が繋がる構成である。
【００６８】
上述したように、本体部３Ａの上面、側面、正面、及び背面のうちの複数個所に開封部５Ａを設ける構成では、スタンプ１Ａを把持した際に、開封作業で作業を容易に行うためスタンプ１Ａの向きを変える場合でも、所望のガイド溝５２を選んで開封作業を行うことができ、スタンプ１Ａを持ち替える回数を少なくして、作業を簡便に行うことができる。また、スタンプ１Ａを机上に載置して開封作業を行う場合でも、スタンプ１Ａが載置される向きによらず、所望のガイド溝５２を選んで開封作業を行うことができるので、スタンプ１Ａの向きを置き換える必要がなく、作業を簡便に行うことができる。
【００６９】
図１５は、第１の実施の形態のスタンプの他の変形例を示す斜視図、図１６は、変形例のスタンプの使用例を示す動作説明図である。上述した例では、開封部５Ａとして１つの面に１本のガイド溝５２が設けられる構成としたが、本体部３Ａの上面、側面、正面、または背面に複数のガイド溝５２を設けることとしても良い。
【００７０】
図１５に示す例では、本体部３Ａの正面（または背面）に、幅方向に沿ったガイド溝５２を３本設けた例を示し、本体部３Ａを図示しない印字部を下側として長手方向に立設させて載置した場合に、本体部３Ａの長手方向に対して下段、中段及び上段に相当する位置に、それぞれカッター５０を有したガイド溝５２を略平行に設けた構成である。
【００７１】
本体部３Ａに複数段のガイド溝５２を設ける構成では、スタンプ１Ａの使用形態、処理対象物の形態等に応じて所望のガイド溝５２を選択することができる。例えば、本体部３Ａの上段に開封部５Ａを設ける構成では、スタンプ１Ａで個人情報保護のための押印を行う動作で、本体部３Ａを把持する際にガイド溝５２が掌で覆われるため、ガイド溝５２が指先に掛からず違和感が無い。
【００７２】
本体部３Ａの中段に開封部５Ａを設ける構成では、図１６に示すように、書籍や書類束といった厚手の内容物が封緘された封筒１００Ａを開封する際に、スタンプ１Ａの本体部３Ａを机上等の作業面１５０に載置した状態で、ガイド溝５２の高さＨが封筒１００Ａの封緘部１０２Ａに近くなり、作業性が向上する。
【００７３】
本体部３Ａの下段に開封部５Ａを設ける構成では、スタンプ１Ａの本体部３Ａを机上等に載置した状態で、作業机やテーブル等の作業面の近くにガイド溝５２が配置されるため、作業面に手を付きながら開封作業ができ、安定した開封動作を行うことが可能になる。ここで、図１５では、本体部３Ａの正面（または背面）に、幅方向に沿ったガイド溝５２を３本設けた例を示したが、２本あるいは３本以上のガイド溝５２を設ける構成でも良い。また、本体部３Ａの側面に、厚さ方向に沿ったガイド溝５２を複数本設ける構成でも良い。
【００７４】
上述した第１の実施の形態及び変形例では、開封部５Ａをカッター５０を内面の所定の位置に有するガイド溝５２として構成することで、本体部３Ａの表面から開封部５Ａが露出せず、スタンプ１Ａとしての外観を損ねることなく、開封部５Ａを配置することができ、スタンプ１Ａのデザインの一部としてガイド溝５２を形成することもできる。また、開封に用いられるカッター５０が本体部３Ａの表面から露出することもない。
【００７５】
図１７は、第１の実施の形態のスタンプの他の変形例を示す斜視図である。図１７に示す変形例のスタンプ１Ａは、開封部５Ａを出没可能とした構成で、例えば、図１７（ａ）に示すように、本体部３Ａの正面（または背面）に開封部５Ａが設けられる。開封部５Ａは、カッター５０を有したガイド溝５２が、本体部３Ａの幅方向に沿って設けられる。
【００７６】
スタンプ１Ａは、本体部３Ａの開封部５Ａが設けられた面、本例では正面に、カバー１０が設けられる。カバー１０は、図１７（ａ）に示すように、開封部５Ａが露出する位置と、図１７（ｂ）に示すように、開封部５Ａを隠蔽する位置との間を、直線動作でスライド移動可能に設けられる。
【００７７】
図１７に示す変形例のスタンプ１Ａでは、開封機能の不使用時、例えば、個人情報を保護するための押印を行う動作でスタンプ１Ａを使用する場合は、図１７（ｂ）に示すように、カバー１０を閉じることで、開封部５Ａを隠蔽することができ、外観性を向上させることができると共に、把持した際の違和感を無くすことができる。開封機能を使用する場合は、図１７（ａ）に示すように、カバー１０を開けることで、開封部５Ａを露出されば良い。
【００７８】
図１８は、第１の実施の形態のスタンプの他の変形例を示す斜視図である。上述した各実施の形態のスタンプ１Ａでは、本体部３Ａの形状を略直方体形状としたが、本体部３Ａの形状はこれに限らず、立方体形状や曲面を持つ形状、あるいは、図１８に示すように、球形状でも良い。図１８に示す例では、本体部３Ａを球状に形成すると共に、カッター５０を有したガイド溝５２が円周面に沿って形成された開封部５Ａを備え、蓋部４Ａを閉めると、スタンプ１Ａの全体形状は略
球状となる。
【００７９】
＜第２の実施の形態のスタンプの構成例＞
図１９は、第２の実施の形態のスタンプの一例を示す構成図である。第２の実施の形態のスタンプ１Ｂは、印字部２Ｂを有した本体部３Ｂと、本体部３Ｂに着脱される蓋部４Ｂを備え、蓋部４Ｂに開封部５Ｂを備える。蓋部４Ｂは、本体部３Ｂの下端部を覆う形状で、本体部３Ｂに着脱可能に設けられる。蓋部４Ｂが本体部３Ｂの下端部に取り付けられると、本体部３Ｂの下端部に露出する印字部の２Ｂの図示しない転写ローラが蓋部４Ｂで覆われる。
【００８０】
開封部５Ｂは、図１９（ａ）に示すように、蓋部４Ｂの側面に、ガイド溝５２が蓋部４Ｂの厚さ方向に沿って延在する構成としても良い。また、図１９（ｂ）に示すように、蓋部４Ｂの正面に、ガイド溝５２が蓋部４Ｂの幅方向に沿って延在する構成としても良い。更に、図１９（ｃ）に示すように、蓋部４Ｂの底面に、ガイド溝５２が蓋部４Ｂの幅方向に沿って延在する構成としても良いし、図示しないが、蓋部４Ｂの底面に、ガイド溝５２が蓋部４Ｂの厚さ方向に沿って延在する構成としても良い。
【００８１】
カッター５０は、ガイド溝５２の底部から突出する構成としても良いし、ガイド溝５２の側面から突出する構成としても良い。
【００８２】
蓋部４Ｂに開封部５Ｂを備える構成では、蓋部４Ｂを本体部３Ｂから取り外した状態で、蓋部４Ｂを単体で使用して封筒１００等の開封動作を行うことができる。
【００８３】
図２０は、第２の実施の形態のスタンプの変形例を示す斜視図である。第２の実施の形態のスタンプ１Ｂでは、本体部３Ｂに着脱可能な蓋部４Ｂの外側に開封部５Ｂを設けることとしたが、図２０に示すように、蓋部４Ｂの内側に開封部５Ｂを設けることとしても良い。
【００８４】
蓋部４Ｂの内側に設けられた開封部５Ｂは、蓋部４Ｂが本体部３Ｂに取り付けられた状態では、蓋部４Ｂ内に隠蔽される。これにより、スタンプ１Ｂの未使用時には、外観性を向上させることができる。蓋部４Ｂを本体部３Ｂから取り外すと、開封部５Ｂが露出して、開封動作を行うことができる。
【００８５】
＜第３の実施の形態のスタンプの構成例＞
図２１は、第３の実施の形態のスタンプの一例を示す構成図である。第３の実施の形態のスタンプ１Ｃは、印字部２Ｃを本体部３Ｃに対して出没可能とした構成で、本体部３Ｃに開封部５Ｃを備える。
【００８６】
本体部３Ｃは、印字部２Ｃを出没させる操作部２４を、本体部３Ｃの上面に露出させて備える。本体部３Ｃは、操作部２４の動きを印字部２Ｃに伝達する構成を備える。本体部３Ｃは、例えば、操作部２４が１回押されると、印字部２Ｃが作動して転写ローラ２０が本体部３Ｃの下面から突出し、操作部２４がもう１回押されると、印字部２Ｃが作動して転写ローラ２０が本体部３Ｃの下面から内部に退避する構成を備える。
【００８７】
開封部５Ｃは、本体部３Ｃの側面に、ガイド溝５２が本体部３Ｃの長手方向に沿って延在する構成で設けられる。カッター５０は、ガイド溝５２の底部から突出する構成としても良いし、ガイド溝５２の側面から突出する構成としても良い。
【００８８】
本体部３Ｃの側面に開封部５Ｃを設ける構成で、ガイド溝５２が本体部３Ｃの長手方向に沿って延在する構成とすれば、ガイド溝５２を本体部３Ｃの寸法に応じて長くできるので、封筒１００等の処理対象物をガイド溝に通したときに、高い安定性を得ることができる。また、処理対象物を安定した姿勢でガイド溝５２に当て付けることができる。
【００８９】
＜第３の実施の形態のスタンプの変形例＞
図２２及び図２３は、第３の実施の形態のスタンプの変形例を示す構成図である。図２２に示す変形例のスタンプ１Ｃでは、開封部５Ｃは、本体部３Ｃの側面に、ガイド溝５２が本体部３Ｃの厚さ方向に沿って延在する構成で設けられる。カッター５０は、ガイド溝５２の底部から突出する構成としても良いし、ガイド溝５２の側面から突出する構成としても良い。
【００９０】
本体部３Ｃの側面に開封部５Ｃを設ける構成で、ガイド溝５２が本体部３Ｃの厚さ方向に沿って延在する構成とすれば、ガイド溝５２を本体部３Ｃの寸法に応じて短くできるので、本体部３Ｃにおいてガイド溝５２の開口が小さくなり、本体部３Ｃを把持する際の違和感を解消することができる。
【００９１】
図２３に示す変形例のスタンプ１Ｃでは、開封部５Ｃは、本体部３Ｃの正面または背面に、ガイド溝５２が本体部３Ｃの幅方向あるいは長手方向に沿って延在する構成で設けられる。カッター５０は、ガイド溝５２の底部から突出する構成としても良いし、ガイド溝５２の側面から突出する構成としても良い。
【００９２】
本体部３Ｃの正面または背面にガイド溝５２を設ける構成では、本体部３Ｃを横倒しにして開封動作を行うことで、机上等で安定して処理対象物の開封を行うことができる。
【００９３】
なお、第３の実施の形態のスタンプ１Ｃでは、操作部２４が設けられる部位以外で本体部３Ｃの上面に開封部５Ｃを設ける構成としても良い。また、本体部３Ｃの側面、正面または背面、あるいは上面に、長手方向、幅方向または厚さ方向に設けた開封部５Ｃは、カッター５０を有したガイド溝５２の向きを各方向に完全に一致する必要はなく、ガイド溝５２が斜めに配置される構成でも良い。
【００９４】
また、本体部３Ｃの側面、正面または背面、あるいは上面のうちの複数個所に開封部５Ｃを設けることとしても良く、一の面に複数の開封部５Ｃを設けることとしても良い。更に、本体部３Ｃの形状は、直方体形状以外にも、立方体形状や曲面を持つ形状、あるいは、球形状でも良い。
【００９５】
＜第４の実施の形態のスタンプの構成例＞
図２４〜図２６は、第４の実施の形態のスタンプの一例を示す構成図である。第４の実施の形態のスタンプ１Ｄは、印字部２Ｄと開封部５Ｄを本体部３Ｄに対して出没可能とした構成である。
【００９６】
本体部３Ｄは、印字部２Ｄを出没させる第１の操作部２５ａを、本体部３Ｄの上面に露出させて備える。また、開封部５Ｄを出没させる第２の操作部２５ｂを、第１の操作部２５ａに隣接させて本体部３Ｄの上面に露出させて備える。本体部３Ｄは、第１の操作部２５ａの動きを印字部２Ｄに伝達する構成と、第２の操作部２５ｂの動きを開封部５Ｄに伝達する構成を備える。
【００９７】
本体部３Ｄは、第１の操作部２５ａが押されると、図２５に示すように、印字部２Ｄが作動して転写ローラ２０が本体部３Ｄの下面から突出する。第２の操作部２５ｂが押されると、印字部２Ｄが作動して転写ローラ２０が本体部３Ｄの下面から内部に退避すると共に、開封部５Ｄが作動してガイド溝５２が本体部３Ｄの下面から突出する構成を備える。
【００９８】
開封部５Ｄは、ガイド溝５２が本体部３Ｄの幅方向に沿って延在する構成で設けられる。カッター５０は、ガイド溝５２の底部から突出する構成としても良いし、ガイド溝５２の側面から突出する構成としても良い。
【００９９】
開封部５Ｄを操作部によって本体部３Ｄから出没可能とした構成では、封緘動作を行わない開封部５Ｄの不使用時には、開封部５Ｄを本体部３Ｄ内に収容でき、スタンプとしての外観性を向上させることができる。また、本体部３Ｄを持ち替えることなく、押印動作と開封動作を行うことができる。
【０１００】
＜第５の実施の形態のスタンプの構成例＞
図２７は、第５の実施の形態のスタンプの一例を示す構成図である。第５の実施の形態のスタンプ１Ｅは、印字部２Ｅを本体部３Ｅに対して出没可能とした構成で、印字部２Ｅを出没させる操作部２６に開封部５Ｅを備える。
【０１０１】
本体部３Ｅは、印字部２Ｅを出没させる操作部２６が、本体部３Ｅの側面に突出させて設けられる。本体部３Ｅは、操作部２６の動きを印字部２Ｅに伝達する構成を備える。本体部３Ｅは、例えば、操作部２６が１回押されると、印字部２Ｅが作動して転写面２７が本体部３Ｅの下面から突出し、操作部２６がもう１回押されると、印字部２Ｅが作動して転写面２７が本体部３Ｅの下面から内部に退避する構成を備える。
【０１０２】
開封部５Ｅは、操作部２６と本体部３Ｅの間の隙間をガイド溝５４として、操作部２６にカッター５０が設けられる。操作部２６は、本体部３Ｅの長手方向に沿って移動可能な構成で、本体部３Ｅの長手方向に沿って延在する略長方形状である。カッター５０は、操作部２６の裏面で、操作部２６の移動方向に沿ったどちらか一方の側に設けられる。
【０１０３】
開封部５Ｅを操作部２６に備える構成では、本体部３Ｅ等にガイド溝を設ける必要がなく、既存のスタンプの外観を損なわずに、開封部を備えることができる。また、切断箇所が目視しやすく、開封動作が容易かつ確実に行える。
【０１０４】
＜第６の実施の形態のスタンプの構成例＞
図２８は、第６の実施の形態のスタンプの一例を示す構成図である。第６の実施の形態のスタンプ１Ｆは、印字部２Ｆを有した本体部３Ｆと、本体部３Ｆに着脱される蓋部４Ｆと、本体部３Ｆに着脱可能に設けられる開封部５Ｆを備える。蓋部４Ｆは、本体部３Ｆの下端部を覆う形状で、本体部３Ｆに着脱可能に設けられる。蓋部４Ｆが本体部３Ｆの下端部に取り付けられると、本体部３Ｆの下端部に露出する印字部の２Ｆの図示しない転写ローラが蓋部４Ｆで覆われる。
【０１０５】
開封部５Ｆは、本体部３Ｆの上端部に着脱可能に設けられる。開封部５Ｆは、  カッター５０を有したガイド溝５２が上面に設けられる。ガイド溝５２は、図２８に示すように、開封部５Ｆの上面に、幅方向に沿って延在する構成としても良いし、図示しないが、厚さ方向に延在する構成としても良い。
【０１０６】
また、ガイド溝５２は、開封部５Ｆの側面、正面または背面に設けても良い。例えば、ガイド溝５２は、開封部５Ｆの側面に、厚さ方向に沿って延在する構成としても良いし、高さ方向に延在する構成としても良い。また、ガイド溝５２は、開封部５Ｆの正面または背面に、幅方向に沿って延在する構成としても良いし、高さ方向に延在する構成としても良い。
【０１０７】
なお、ガイド溝５２は、開封部５Ｆの上面、側面、正面、及び背面のうちの複数個所に設けても良い。また、複数のガイド溝５２を、開封部５Ｆの上面、側面、正面、または背面に設けても良い。更に、開封部５Ｆの上面、側面、正面または背面に設けたガイド溝５２は、各面の幅方向、厚さ方向または高さ方向に向きを完全に一致させる必要はなく、斜めに配置されても良い。
【０１０８】
開封部５Ｆを本体部３Ｆに対して着脱可能に備える構成では、開封部５Ｆを本体部３Ｆに取り付けた状態で封筒１００等の開封動作を行うことができると共に、開封部５Ｆを本体部３Ｆから取り外した状態で、開封部５Ｆを単体で使用して封筒１００等の開封動作を行うことができ、使用形態が選択可能となる。
【０１０９】
＜第７の実施の形態のスタンプの構成例＞
図２９は、第７の実施の形態のスタンプの一例を示す斜視図である。第７の実施の形態のスタンプ１Ｇは、印字部２Ｇを有した本体部３Ｇと、本体部３Ｇに着脱される蓋部４Ｇを備え、本体部３Ｇの上部に開封部５Ｇを備える。
【０１１０】
開封部５Ｇは、カッター５５が本体部３Ｇから突出する位置と本体部３Ｇに収容される位置との間で移動可能に設けられ、本体部３Ｇに対して出没可能に構成される。カッター５５は、本例では本体部３Ｇの長手方向に沿った直線動作で、本体部３Ｇから突出する位置と本体部３Ｇに収容される位置との間でスライド移動可能に設けられ、操作部５５ａの操作で本体部３Ｇに対して出没可能に構成される。
【０１１１】
スタンプ１Ｇの非使用時には、本体部３Ｇに蓋部４Ｇを装着しておく。スタンプ１Ｇの開封機能を使用する場合、操作部５５ａの操作でカッター５５を本体部３Ｇから突出した状態とする。これにより、スタンプ１Ｇは開封部５Ｇの使用が可能となり、カッター５５で封筒等の開封が行われる。スタンプ１Ｇは、カッター５５が本体部３Ｇから突出する形態であるので、小包やダンボール箱等の他の処理対象物の開封も可能である他、紐状の梱包材の切断も可能である。
【０１１２】
スタンプ１Ｇの個人情報保護機能を使用する場合、操作部５５ａの操作でカッター５５を本体部３Ｇに収容した状態とする。そして、蓋部４Ｇを本体部３Ｇから外し、封筒、小包、ダンボール箱等の処理対象物に印字、或いはラベルの貼り付け等で表記された個人情報に転写ローラ２０を押し付けて、本体部３Ｇを移動させる。これにより、表記の視認を阻害するパターンが個人情報上に転写され、個人情報が保護される。
【０１１３】
本体部３Ｇに対して出没可能なカッター５５を有した開封部５Ｇを備えたスタンプ１Ｇでは、封筒類のみならず、小包等の箱状の処理対象物を開封でき、また、処理対象物を梱包する紐状の梱包材を切断できると共に、処理対象物に表記された個人情報の視認を困難にできるので、個人情報が表記された処理対象物の開封と個人情報の保護を１つの道具で行うことができる。また、通常のカッターナイフとしても使用可能である。
【０１１４】
なお、スタンプ１Ｇでは、開封部５Ｇは、カッター５５が直線動作で本体部３Ｇに対して出没可能な構成としたが、カッター５５が本体部３Ｇに対して回転動作で出没可能な構成としても良い。また、開封部５Ｇは、カッター５５を蓋部４Ｇに備える構成としても良く、蓋部４Ｇに備えたカッター５５を、蓋部４Ｇに対して出没可能な構成としても良い。
【０１１５】
＜開封部の変形例＞
図３０は、開封部の変形例を示す構成図である。図３０（ａ），（ｂ）では、開封部５Ｈは、断面形状が例えばＶ字状のガイド溝５４Ｈを備え、ガイド溝５４Ｈの底部にカッター５０Ｈが設けられる。カッター５０Ｈは、刃の上端がガイド方向の手前側に向けて鋭角に突出する形態で、ガイド溝５４Ｈの底部から突出する。
【０１１６】
図３０（ｃ），（ｄ）では、開封部５Ｉは、断面形状が例えば四角状のガイド溝５４Ｉを備え、ガイド溝５４Ｉの側面にカッター５０Ｉが設けられる。カッター５０Ｉは、刃の一端がガイド方向の手前側に向けて突出する形態で、ガイド溝５４Ｉの両側面に支持される。
【０１１７】
図３０（ｅ），（ｆ）では、開封部５Ｊは、断面形状が例えば四角状のガイド溝５４Ｊを備え、ガイド溝５４Ｊの側面にカッター５０Ｊが設けられる。カッター５０Ｊは、台形の上辺に刃が設けられ、ガイド溝５４Ｊの側面から突出する。図３０（ｇ），（ｈ）では、開封部５Ｋは、円板状の回転可能なカッター５０Ｋと、カッター５０Ｋを回転可能に支持する支持部５６Ｋを備える。
【０１１８】
図３１は、開封部の他の変形例を示す構成図である。開封部５Ｌは、円板状の回転可能なカッター５０Ｌと、カッター５０Ｌを回転可能に支持する支持部５６Ｌと、カッター５０Ｌを所定量ずつ回転させて繰り出す繰り出し部５７Ｌを備える。
【０１１９】
繰り出し部５７Ｌは切断力保持手段の一例で、カッター５０Ｌの円周方向に沿った複数個所に所定の間隔で設けた溝部５７ａと、支持部５６Ｌに設けられ、カッター５０Ｌの溝部５７ａに嵌る突起部５７ｂを備える。
【０１２０】
開封部５Ｌは、カッター５０Ｌの溝部５７ａに支持部５６Ｌの突起部５７ｂが嵌ることで、カッター５０Ｌの円周方向に所定の力が加わらなければ、カッター５０Ｌは回転しない。これにより、通常は、カッター５０Ｌの円周方向において、同じ位置で開封動作が行われる。
【０１２１】
開封動作が繰り返し行われると、カッター５０Ｌの切断力が低下する。そこで、カッター５０Ｌの円周方向に所定の力が加わると、カッター５０Ｌの溝部５７ａが支持部５６Ｌの突起部５７ｂから外れてカッター５０Ｌが回転し、カッター５０Ｌの次の溝部５７ａが支持部５６Ｌの突起部５７ｂに嵌る。これにより、カッター５０Ｌは、溝部５７ａの間隔に応じた一定量ずつの回転動作で新しい刃部を繰り出すことができ、切断力が保持される。
【０１２２】
ここで、カッター５０Ｌの切断力が低下して、カッター５０Ｌと封筒類の間の摩擦力が増加することで、開封動作における開封部５Ｌと封筒類との相対移動でカッター５０Ｌに力が掛かり、カッター５０Ｌが回転するようにしても良い。
【０１２３】
＜紙粉回収部の変形例＞
図３２は、紙粉回収部の変形例を示す構成図である。変形例の紙粉回収部５３Ａは、本体部３Ａの外部と繋がる排出口５８を備え、紙粉回収部５３Ａに入った紙粉等を、本体部３Ａから外部に排出可能に構成される。
【産業上の利用可能性】
【０１２４】
本発明は、個人情報を保護する印面のみならず、日付印等の他の印面を有したスタンプに適用される。
【符号の説明】
【０１２５】
１Ａ〜１Ｇ・・・スタンプ、２Ａ〜２Ｇ・・・印字部、２０・・・・転写ローラ、２１・・・転写ユニット、２１ａ・・・転写ローラガイド、２１ｂ・・・爪部、２１ｃ・・・着脱操作部、２２・・・供給ローラ、２３・・・供給ユニット、２３ａ・・・供給ローラガイド、２４・・・操作部、２５ａ・・・第１の操作部、２５ｂ・・・第２の操作部、２６・・・操作部、３Ａ〜３Ｇ・・・本体部、３０・・・転写ユニット取付部、３０ａ・・・係止凹部、３１・・・供給ユニット取付部、４Ａ・・・蓋部、４０・・・載置面、５Ａ〜５Ｌ・・・開封部、５０・・・カッター、５１・・・カッターホルダ、５１Ｌ・・・第１のカッターホルダ、５１Ｒ・・・第２のカッターホルダ、５１ａ・・・爪部、５１ｂ・・・保護ガイド、５１ｃ・・・カッター取付部、５２・・・ガイド溝、５２ａ・・・ガイド部、５３・・・紙粉回収部、５４・・・ガイド溝、１００・・・封筒、１０１・・・個人情報、１０２・・・封緘部、１０３・・・フラップ、１０３ａ・・・折り曲げ部
【図１】
0005728991.tif 000002
【図２】
0005728991.tif 000003
【図３】
0005728991.tif 000004
【図４】
0005728991.tif 000005
【図５】
0005728991.tif 000006
【図６】
0005728991.tif 000007
【図７】
0005728991.tif 000008
【図８】
0005728991.tif 000009
【図９】
0005728991.tif 000010
【図１０】
0005728991.tif 000011
【図１１】
0005728991.tif 000012
【図１２】
0005728991.tif 000013
【図１３】
0005728991.tif 000014
【図１４】
0005728991.tif 000015
【図１５】
0005728991.tif 000016
【図１６】
0005728991.tif 000017
【図１７】
0005728991.tif 000018
【図１８】
0005728991.tif 000019
【図１９】
0005728991.tif 000020
【図２０】
0005728991.tif 000021
【図２１】
0005728991.tif 000022
【図２２】
0005728991.tif 000023
【図２３】
0005728991.tif 000024
【図２４】
0005728991.tif 000025
【図２５】
0005728991.tif 000026
【図２６】
0005728991.tif 000027
【図２７】
0005728991.tif 000028
【図２８】
0005728991.tif 000029
【図２９】
0005728991.tif 000030
【図３０】
0005728991.tif 000031
【図３１】
0005728991.tif 000032
【図３２】
0005728991.tif 000033